(57)【要約】【課題】  ゴミ入りポリ袋をカラス公害から守り、街の景観を損なうことを無くすために役立つカラス除け被覆体を提供する。【解決手段】  楕円形又は長方形の被覆体１の横軸前後両辺に重りを兼ねた直線の開閉用棒部材２を取り付け、又左右両側辺には重り用ロープ３を施してなる。【選択図】      図１
2006034101.tif 000002
【特許請求の範囲】
【請求項１】
楕円形又は長方形の被覆体の横軸前後両辺に重りを兼ねた開閉用棒部材を取り付け、又左右両側辺には重り用ロープを施してなるカラス除けゴミ被覆体。
【請求項２】
前記重りを兼ねた開閉用棒部材に折畳用軸継手を設けてなる請求項１記載のカラス除けゴミ被覆体。
【請求項３】
前記横軸前後両辺に取り付ける重りを兼ねた開閉用棒部材を、前辺用及び後辺用ともニ分割してなる重りを兼ねた開閉用棒部材を各々２本ずつ用いてなる請求項１記載のカラス除けゴミ被覆体。
【請求項４】
前記楕円形又は長方形の被覆体の縦軸左右両辺に重り用ロープの代わりに重りを兼ねた開閉用棒部材を各々取り付けてなる請求項１記載のカラス除けゴミ被覆体。
【請求項５】
前記楕円形又は長方形の被覆体の横軸前後両辺及び縦軸左右両辺に各々ニ分割してなる重りを兼ねた開閉用棒部材を各々２本ずつ取り付けてなる請求項１又は４記載のカラス除けゴミ被覆体。
【請求項６】
前記楕円形又は長方形の被覆体を立体的被覆体にしてなる請求項１乃至５記載のカラス除け被覆体。
【請求項７】
前記楕円形又は長方形の被覆体及び立体的被覆体に可視可能被覆体及び可視不可能被覆体を併用して用いてなる請求項１乃至６記載のカラス除けゴミ被覆体。
【発明の詳細な説明】
【技術分野】
【０００１】
本発明は、家庭から排出される所定の場所に一時的に収集して置くゴミをカラス被害から守る為のカラス除け被覆体に関する。
【背景技術】
【０００２】
家庭用から排出される生ゴミや通常ゴミは、一般的に各家庭でポリエチレン製のゴミ収納袋に袋詰めされて、各町内ごとに決められた所定の日に所定の場所に集められ、これをゴミ回収車が来て持ち去るようになっている。
【０００３】
団地等ではその一角に団地内の家庭から排出されるゴミの為にゴミ置き場を設け、持ち込まれたゴミ入ポリ袋が散乱しないように管理しているが、個建てやアパート等、一般家庭から排出されるゴミ入ポリ袋は、ゴミ専用の公共のゴミ置き場が確保できないことから、ゴミ収集日に街路の片隅をゴミ置き場とし山積みにして集められている。
【０００４】
この為、カラスや野良猫が生ゴミを収納したゴミ袋を食い破って中身が路上に散乱し、悪臭や衛生問題の発生等、動物によるゴミ公害を引き起こしている。
【０００５】
これらの問題解決のため、これまで実用新案出願公開昭６３−１４８６０１、平４−４０００２、実開平４−１２１９０１、実開平５−５７０１、実開平５−３７７０１、実開平５−４２２０１、実開平７−１３８０１、特開平８−３１０６０１、及び登録実用新案第３０５６８０９号公報、特願２００２−０７５９３６、さらに特願２００２−３３６３８３等で、ゴミ箱やゴミ置き場の各種の提案がなされたが、いずれもカラスの被害を完全に防止できるものはなかった。
【発明の開示】
【発明が解決しようとする課題】
【０００６】
そこで本発明は、上記の問題に鑑みてなされたもので、極めて簡便に取り扱え、ゴミ入りポリ袋の投入及び回収が容易にでき、路上の収集場所に山積されるゴミ入ポリ袋の動物等によるゴミ散乱公害から守ることにある。
【課題を解決するための手段】
【０００７】
本発明は、上記の問題を解決する手段として、楕円形又は長方形の被覆体の横軸前後両辺に重りを兼ねた開閉用棒部材を取り付け、又左右両側辺には重り用ロープを施してなる。
【０００８】
又、前記重りを兼ねた開閉用棒部材に折畳用軸継手を設けることができる。
【０００９】
又、前記横軸前後両辺に取り付ける重りを兼ねた開閉用棒部材を、前辺用及び後辺用ともニ分割してなる重りを兼ねた開閉用棒部材を各々２本ずつ用いることできる。
【００１０】
又、前記楕円形又は長方形の被覆体の縦軸左右両辺に重り用ロープの代わりに重りを兼ねた開閉用棒部材を各々取り付けることができる。
【００１１】
又、前記楕円形又は長方形の被覆体の横軸前後両辺及び縦軸左右両辺に各々ニ分割にしてなる重りを兼ねた開閉用棒部材を各々２本ずつ取り付けることができる。
【００１２】
又、前記楕円形又は長方形の被覆体を立体的被覆体にすることができる。
【００１３】
更に、前記楕円形又は長方形の被覆体及び立体的被覆体に可視可能被覆体及び可視不可能被覆体を併用して用いることもできる。
【発明の効果】
【００１４】
本発明は、以上説明したような形態で実施され、以下に記載されるような効果を奏する。即ち楕円形又は長方形の被覆体及び立体的被覆体の横軸前後両辺又は横軸前後両辺及び縦軸左右両辺に重りを兼ねた開閉用棒部材が取り付けてあるため、被覆体を捲り易く、ゴミ入りポリ袋の投入や回収が容易であり、又前記棒部材及び重り用ロープでゴミに被せた被覆体の前後左右周りの端がガードされ、カラスや野良猫の進入を防ぐのに役立つ。
【発明を実施するための最良の形態】
【００１５】
本発明は以上説明したような形態で実施され、以下に記載されるような効果を奏する。
【００１６】
図１及び図２は本発明におけるカラス除け被覆体について第１の実施の形態を示すものであり、図１に示すように楕円形又は長方形の被覆体１の横軸前後両辺に直線の重りを兼ねた開閉用棒部材２を取り付け、又左右両側に重り用ロープ３を施してなる。前記棒部材２付の楕円形又は長方形の被覆体１だと広げ易く、ゴミ入りポリ袋を楕円形又は長方形の被覆体１の下へ入れ易く、又カラスや野良猫が楕円形又は長方形の被覆体１の裾を捲り上げポリ袋内の生ゴミを食い荒らすことが難しい。又、収集も簡便で手前の前記棒部材２を手で捲り上げ後方に移動させると山積されているゴミ入りポリ袋ａがそのまま路上へ剥き出しとなり（図２参照）、ゴミ入りポリ袋ａを両手でわし掴みにして収集できる。楕円形又は長方形の被覆体１はナイロン、テトロン等高分子合成繊維製のネット（縦２０００ｍｍ×横２５００ｍｍ、網目４ｍｍ×４ｍｍ又は２５ｍｍ×２５ｍｍ）、又、棒部材２にアルミニウム、ステンレス製等錆び難い金属製パイプ（長さ１７００ｍｍ、直径２０ｍｍ、肉厚２ｍｍ程度）、或は塩化ビニール等高分子合成樹脂製パイプ（長さ１７００ｍｍ、直径２５ｍｍ、肉厚３ｍｍ程度）を用い、更に重り用ロープ３には重量（１ｍ当り３００ｇ〜５００ｇ）の沈子コードを使用する。
【００１７】
尚、楕円形又は長方形の被覆体（ネット部材）１への棒部材（パイプ部材）２の取り付けは、図１の部分拡大図に示すように、楕円形又は長方形の被覆体（ネット部材）１前後両辺の端を直径８ｍｍ程度のロープ４に巻き付けて縫い、図１に示すようにこのネットを巻き付けたロープの端から、横軸ラインにカットして切れ目５を入れ断面をＣ型としてなる棒部材（パイプ部材）２に嵌め込んで通し、パイプの左右両サイドを断面半円の二個のチップで、ロープを包むように上下から挟んでなるプラスチック栓６で止めて固定し、ロープと重り用ロープの両端を接続用の止め金７で止めて継ぐ。これとは別に楕円形又は長方形の被覆体（ネット部材）１の端を巻き付けて縫った横軸前後の直線の重りを兼ねた開閉用棒部材（パイプ部材）２にロープ４を通し、このロープ４を左右両側の重り用ロープ３に接続し、止め金７で止めて継ぐこともできる。又楕円形又は長方形の被覆体（ネット部材）１左右両辺への沈子コードの取り付けも同様に楕円形又は長方形の被覆体（ネット部材）１左右両辺の端を沈子コードに巻き付けて縫う。
【００１８】
図３は本発明におけるカラス除けゴミ被覆体について第２の実施の形態を示すものであり、図３に示すように前記重りを兼ねた開閉用棒部材２に折畳用軸継手８を一個又は二個設けてなり、一個の場合は横軸前後両辺の重りを兼ねた開閉用棒部材２の中央部へ、又二個の場合は重りを兼ねた開閉用棒部材２の左右両辺から中央部へ１／３寄った箇所へ各一箇所ずつ取り付ける。これは重りを兼ねた開閉用棒部材２を１／２又は１／３に折り畳み、楕円形又は長方形の被覆体１を仕舞うのに便利にしたものである。
【００１９】
図４は本発明におけるカラス除けゴミ被覆体について第３の実施の形態を示すものであり、図４に示すように前記直線の重りを兼ねた開閉用棒部材２を、前辺用及び後辺用とも棒部材の長さを二分割（長さ６５０ｍｍ程度）にして各々２本ずつ用いてなる。これだと重りを兼ねた開閉用棒部材２の重さが１／２となり、楕円形又は長方形の被覆体１を捲り易くゴミ入りポリ袋ａの投入が容易で、又楕円形又は長方形の被覆体１を横に二つに折り畳み易く、仕舞うのに便利である。尚、第２実施例及び第３実施例における楕円形又は長方形の被覆体（ネット部材）１への棒部材（パイプ部材）２の取り付けは実施例１同様の手順で行なう。
【００２０】
図５は本発明におけるカラス除けゴミ被覆体について第４の実施の形態を示すものであり、図５に示すように前記楕円形又は長方形の被覆体１の縦軸左右両辺に、重り用ロープ４の代わりに直線の重りを兼ねた開閉用棒部材２（長さ１０００ｍｍ）を各々取り付けてなる。これだと横軸前後両辺だけでなく縦軸左右両辺も直線の重りを兼ねた開閉用棒部材２で堅められ、重り用ロープ３を用いた場合より一層ガードされ、楕円形又は長方形の被覆体１内へのカラスや野良猫の進入を防止でき、又重り用ロープ３より捲り易く左右両側面からのゴミ入りポリ袋ａの投入がより容易になる。
【００２１】
図６は本発明におけるカラス除けゴミ被覆体について第５の実施の形態を示すものであり、図６に示すように前記楕円形又は長方形の被覆体１の横軸前後両辺及び縦軸左右両辺に各々二分割してなる直線の重りを兼ねた開閉用棒部材２（横の長さ６５０ｍｍ、縦の長さ４５０ｍｍ程度）各々２本ずつを取り付けてなる。これだと横軸前後両辺だけでなく縦軸左右両側面からのゴミ入りポリ袋の投入も楽で、又縦・横四つに折り畳むのに便利である。
【００２２】
第４実施例及び第５実施例での楕円形又は長方形の被覆体（ネット部材）１への棒部材（パイプ部材）２の取り付けは、先ずネットの端をロープ４（直径８ｍｍ程度）に巻き付けて縫い、このネットが巻き付いたロープ４を第１実施例同様、横軸ラインに切れ目５を入れ断面をＣ型としてなる棒部材（パイプ部材）２に嵌め込み、パイプの左右両サイドをプラスチック栓６で止めて固定する。この際ネットの端を巻き付けたロープ４は、事前に４箇所切断しておき、パイプに挿入後各々ロープの切断部分を接続用の止め金７で止めて継ぐ。又、楕円形又は長方形の被覆体（ネット部材）１の端を巻き付けて縫った横軸前後及び縦軸左右の直線の重りを兼ねた開閉用棒部材（パイプ部材）２にロープ４を通し、このロープ４の端と端を止め金７で止めて継ぐこともできる。尚、第４実施例及び第５実施例では直線の重りを兼ねた棒部材（パイプ部材）２同士を接続する部分、いわゆる直線の重りを兼ねた棒部材（パイプ部材）２の中に入っていない露出部分のロープ４には重り用ロープ（沈子コード）３を使用することができる。
【００２３】
図７、図８及び図９は本発明におけるカラス除けゴミ被覆体について第６の実施の形態を示すものであり、図７に示すように前記楕円形又は長方形の被覆体１を立体的被覆体にしてなる。前記立体的被覆体は、例えば長方形立方体型（図７参照）、カマボコ型（図８参照）及びコッペパン型（図９参照）等が望ましい。長方形立方体型被覆体９或は、カマボコ型被覆体１０では横軸前後両辺及び縦軸左右両辺とも直線の重りを兼ねた開閉用棒部材２を用い、又コッペパン型被覆体１１では横軸前後両辺に内側へ弓なりに湾曲の重りを兼ねた開閉用棒部材１２を、又縦軸左右両辺には内側へ環状に湾曲の重りを兼ねた開閉用棒部材１３を使用する。更に、前記直線の重りを兼ねた開閉用棒部材２、内側へ弓なりに湾曲の重りを兼ねた開閉用棒部材１２及び内側へ環状に湾曲の重りを兼ねた開閉用棒部材１３は第５実施例同様二分割して取り付けることもできる。尚、長方形立方体型被覆体９とカマボコ型被覆体１０への直線の重りを兼ねた開閉用棒部材２の取り付け及びコッペパン型被覆体１１への弓なりに湾曲の重りを兼ねた開閉用棒部材１２と環状に湾曲の重りを兼ねた開閉用棒部材１３の取り付けは第４実施例及び第５実施例同様の手順で行なう。
【００２４】
図１０、図１１、図１２、図１３、図１４、図１５、図１６及び図１７は本発明におけるカラス除けゴミ被覆体について第７の実施に形態を示すものであり、図１０に示すように前記楕円形又は長方形の被覆体１に可視可能被覆体及び可視不可能被覆体を継ぎ合わせて縫い併用して用いてなり、例えば実施例１、２、３、４及び５のカラス除け被覆体のサイズを縦２０００ｍｍ×横２５００ｍｍにすると、中央部縦１０００ｍｍ×横１５００ｍｍを可視不可能素材１４、その周りを３００ｍｍ〜４００ｍｍの帯状に可視可能素材１５、更にその外の周りを７００ｍｍ〜６００ｍｍを可視不可能素材１４とする（図１０、図１１、図１２、図１３及び図１４参照）。
【００２５】
一方、前記長方形立方体型被覆体９のサイズを縦９００ｍｍ×横１８００ｍｍ×高さ８００ｍｍとすると、頂面を可視不可能素材１４、そして高さの部分は上から順に横軸に２５０ｍｍを可視不可能素材１４、次に２５０ｍｍを可視可能素材１５、残り３００ｍｍを可視不可能素材１４とする（図１５参照）。又、カマボコ型被覆体１０及びコッペパン型被覆体１１の高さを８００ｍｍとすると頂面のＡ点から下へＢラインまで３００ｍｍを可視不可能素材１４、ＢラインからＣラインまで２００ｍｍ可視可能素材１５、Ｃラインから底辺のＤラインまで３００ｍｍを可視不可能素材１４とする（図１６及び図１７参照）。可視不可能素材１４にポリエステル等高分子合成繊維布地の両面を塩化ビニールでラミネート加工してなる万能シート又は帆布シートを、又可視可能素材１５にはナイロン・ポリエチレン等高分子合成繊維ネット（網目４ｍｍ×４ｍｍ又は２５ｍｍ×２５ｍｍ）を使用する。
【００２６】
第７実施例は視覚で餌を見分けるカラスの習性を上手く利用したもので、例えば楕円形又は長方形の被覆体１、長方形立方体型被覆体９、カマボコ型被覆体１０及びコッペパン型被覆体１１とも、ゴミに被せた状態でカラスにゴミ入りポリ袋が突つかれ易い箇所に可視不可能素材１４を、又突つかれ難い箇所に可視可能素材１５を用いており、可視可能素材１５の使用は風通しをよくし、ゴミの悪臭を除去することにある。尚、第７実施例の図１０、図１１及び図１２における楕円形又は長方形の被覆体１への直線の重りを兼ねた開閉用棒部材２の取り付けは第１実施例同様に、又図１３、図１４の楕円形又は長方形の被覆体１、図１５の長方形立方体型被覆体９及び図１６のカマボコ型被覆体１０への直線の重りを兼ねた開閉用棒部材２の取り付けは第４実施例及び第５実施例同様に、更に図１７のコッペパン型被覆体１１への弓なりに湾曲の重りを兼ねた開閉用棒部材１２と環状に湾曲の重りを兼ねた開閉用棒部材１３の取り付けも第４実施例及び第５実施例同様の手順で各々行なう。この場合はいずれも可視不可能素材１４と可視可能素材１５を縫い合わせ易くするためネットの網目は小さい４ｍｍ×４ｍｍのものを用いる。
【産業上の利用可能性】
【００２７】
地方公共団体並びに地域住民は家庭から排出される生ゴミのカラス公害に悩まされているが、有効な対策が確立されていない。本発明によるカラス除け被覆体はカラス公害の防止に役立つのでこのカラス除け被覆体は商業ベースにのるものとみられる。
【図面の簡単な説明】
【００２８】
【図１】本発明における第１の実施の形態を示す斜視図とその部分拡大斜視図。
【図２】図１の実施の形態で棒部材を捲り上げると一気にゴミ入りポリ袋がそのまま路上に剥き出しとなる状態を示す斜視図。
【図３】本発明における第２の実施の形態を示す斜視図とその部分拡大斜視図。
【図４】本発明における第３の実施の形態を示す斜視図。
【図５】本発明における第４の実施の形態を示す斜視図。
【図６】本発明における第５の実施の形態を示す斜視図。
【図７】本発明における第６の実施の形態で長方形立方体型の被覆体を用いた状態を示す斜視図。
【図８】図７の実施の形態でカマボコ型の被覆体を用いた状態を示す斜視図。
【図９】図７の実施の形態でコッペパン型の被覆体を用いた状態を示す斜視図。
【図１０】本発明における第７の実施の形態を図１の実施の形態に用いた状態を示す斜視図。
【図１１】図１０の実施の形態を図３の実施の形態に用いた状態を示す斜視図。
【図１２】図１０の実施の形態を図４の実施の形態に用いた状態を示す斜視図。
【図１３】図１０の実施の形態を図５の実施の形態に用いた状態を示す斜視図。
【図１４】図１０の実施の形態を図６の実施の形態に用いた状態を示す斜視図。
【図１５】図１０の実施の形態を図７の実施の形態に用いた状態を示す斜視図。
【図１６】図１０の実施の形態を図８の実施の形態に用いた状態を示す斜視図。
【図１７】図１０の実施の形態を図９の実施の形態に用いた状態を示す斜視図。
【符号の説明】
【００２９】
１  楕円形又は長方形の被覆体，  ２  直線の重りを兼ねた開閉用棒部材，  ３  重り用ロープ，  ４  ロープ，  ５  切れ目，  ６  栓，  ７  止め金，  ８  軸継手，  ａ  ゴミ入りポリ袋，  ９  長方形立方体型被覆体，  １０  カマボコ型被覆体，  １１  コッペパン型被覆体，  １２  弓なりに湾曲の重りを兼ねた開閉用棒部材，  １３  環状に湾曲の重りを兼ねた開閉用棒部材，  １４  可視不可能素材，  １５  可視可能素材                                                                                          
【図１】
2006034101.tif 000003
【図２】
2006034101.tif 000004
【図３】
2006034101.tif 000005
【図４】
2006034101.tif 000006
【図５】
2006034101.tif 000007
【図６】
2006034101.tif 000008
【図７】
2006034101.tif 000009
【図８】
2006034101.tif 000010
【図９】
2006034101.tif 000011
【図１０】
2006034101.tif 000012
【図１１】
2006034101.tif 000013
【図１２】
2006034101.tif 000014
【図１３】
2006034101.tif 000015
【図１４】
2006034101.tif 000016
【図１５】
2006034101.tif 000017
【図１６】
2006034101.tif 000018
【図１７】
2006034101.tif 000019
【手続補正書】
【提出日】平成16年8月2日(2004.8.2)
【手続補正１】
【補正対象書類名】明細書
【補正対象項目名】００２４
【補正方法】変更
【補正の内容】
【００２４】
図１０、図１１、図１２、図１３、図１４、図１５、図１６及び図１７は本発明におけるカラス除けゴミ被覆体について第７の実施に形態を示すものであり、図１０に示すように前記楕円形又は長方形の被覆体１に可視可能被覆体及び可視不可能被覆体を継ぎ合わせて縫い併用して用いてなり、例えば実施例１、２、３、４及び５のカラス除け被覆体のサイズを縦２０００ｍｍ×横２５００ｍｍにすると、中央部縦１０００ｍｍ×横１５００ｍｍを可視不可能素材１４、その周りを１５０ｍｍ〜２００ｍｍの帯状に可視可能素材１５、更にその外の周りを３５０ｍｍ〜３００ｍｍを可視不可能素材１４とする（図１０、図１１、図１２、図１３及び図１４参照）。